【手続補正書】
【提出日】平成18年1月31日(2006.1.31)
【手続補正１】
【補正対象書類名】明細書
【補正対象項目名】発明の名称
【補正方法】変更
【補正の内容】
【発明の名称】書類の搬送方法及びそのシステム並びにプログラム
【手続補正２】
【補正対象書類名】明細書
【補正対象項目名】特許請求の範囲
【補正方法】変更
【補正の内容】
【特許請求の範囲】
【請求項１】  複数枚の書類のそれぞれを連続して搬送しながら各書類の紙厚を検出する書類自動送り装置に接続されたコンピュータにより、当該書類自動送り装置が複数枚の書類を搬送する際に、複数枚の書類が重なって搬送される重送エラーを検出する書類の搬送方法において、
前記書類自動送り装置が複数枚の書類のそれぞれを連続して搬送する際に検出した書類の紙厚が、予め設定された固定基準値の許容範囲外であるときに、重送エラーと判断する、固定基準値による重送エラー判断工程と、
前記書類自動送り装置が前記固定基準値による重送エラー判断工程で重送エラーと判断された複数枚の書類のそれぞれを連続して搬送する際に検出した書類の紙厚が、最初に搬送された書類の紙厚を基準とする可変基準値の許容範囲外であるときに、重送エラーと判断する、可変基準値による重送エラー判断工程と、
を有することを特徴とする書類の搬送方法。
【請求項２】  複数枚の書類のそれぞれを連続して搬送しながら書類から書類名と書類発行元名とを含む情報を光学的に読み取るとともに各書類の紙厚を検出する書類自動送り装置に接続されたコンピュータにより、当該書類自動送り装置が複数枚の書類を搬送する際に、複数枚の書類が重なって搬送される重送エラーを検出する書類の搬送方法において、
前記書類自動送り装置が複数枚の書類のそれぞれを連続して搬送する際に検出した書類の紙厚が、最初に搬送された書類の紙厚を基準とする可変基準値の許容範囲外であるときに、重送エラーと判断する、第１の重送エラー判断工程と、
前記書類自動送り装置が複数枚の書類のそれぞれを連続して搬送する際に書類から読み取った書類名と書類発行元名とを含む情報を、前記第１の重送エラー判断工程で用いた前記可変基準値の紙厚データとともに、記憶手段に記憶する、記憶工程と、
前記書類自動送り装置が次回分の複数枚の書類のそれぞれを連続して搬送しながら次回分の各書類から書類名と書類発行元名とを含む情報を光学的に読み取るとともに次回分の各書類の紙厚を検出する際に、前記書類自動送り装置が次回分の書類から読み取った書類名と書類発行元名とを含む情報に一致する情報が前記記憶手段に記憶されている場合に、当該一致する情報とともに前記記憶手段に記憶された前記紙厚データの前記可変基準値を前記記憶手段から読み出し、前記書類自動送り装置が検出した次回分の書類の紙厚が、前記記憶手段から読み出した前記可変基準値の許容範囲外であるときに、重送エラーと判断する、第２の重送エラー判断工程と、
を有することを特徴とする書類の搬送方法。
【請求項３】  複数枚の書類のそれぞれを連続して搬送する搬送手段と、
前記搬送手段によって搬送される書類の紙厚を検出する紙厚検出手段と、
前記搬送手段が複数枚の書類のそれぞれを連続して搬送する際に前記紙厚検出手段が検出した書類の紙厚が、予め設定された固定基準値の許容範囲外であるときに、重送エラーと判断する、固定重送判断手段と、
前記搬送手段が前記固定重送判断手段により重送エラーと判断された複数枚の書類のそれぞれを連続して搬送する際に前記紙厚検出手段が検出した書類の紙厚が、最初に搬送された書類の紙厚を基準とする可変基準値の許容範囲外であるときに、重送エラーと判断する、可変重送判断手段と、
を有することを特徴とする書類搬送システム。
【請求項４】  複数枚の書類のそれぞれを連続して搬送する搬送手段と、
前記搬送手段によって搬送される書類の紙厚を検出する紙厚検出手段と、
前記搬送手段によって搬送される書類から書類名と書類発行元名とを含む情報を光学的に読み取る光学読取手段と、
前記搬送手段が複数枚の書類のそれぞれを連続して搬送する際に前記紙厚検出手段が検出した書類の紙厚が、最初に搬送された書類の紙厚を基準とする可変基準値の許容範囲外であるときに、重送エラーと判断する、第１の重送エラー判断手段と、
前記搬送手段が複数枚の書類のそれぞれを連続して搬送する際に前記光学読取手段が書類から読み取った書類名と書類発行元名とを含む情報を、前記第１の重送エラー判断手段が用いた前記可変基準値の紙厚データとともに、記憶する、記憶手段と、
前記搬送手段が次回分の複数枚の書類のそれぞれを連続して搬送することにより、前記光学読取手段が次回分の書類から書類名と書類発行元名とを含む情報を読み取るとともに、前記紙厚検出手段が次回分の書類の紙厚を検出する際に、前記光学読取手段が次回分の書類から読み取った書類名と書類発行元名とを含む情報に一致する情報が前記記憶手段に記憶されている場合に、当該一致する情報とともに前記記憶手段に記憶された前記紙厚データの前記可変基準値を前記記憶手段から読み出し、前記紙厚検出手段が検出した次回分の書類の紙厚が、前記記憶手段から読み出した前記可変基準値の許容範囲外であるときに、重送エラーと判断する、第２の重送エラー判断手段と、
を有することを特徴とする書類搬送システム。
【請求項５】  複数枚の書類のそれぞれを連続して搬送しながら各書類の紙厚を検出する書類自動送り装置に接続されたコンピュータに、
前記書類自動送り装置が複数枚の書類のそれぞれを連続して搬送する際に検出した書類の紙厚が、予め設定された固定基準値の許容範囲外であるときに、重送エラーと判断する、固定基準値による重送エラー判断ステップと、
前記書類自動送り装置が前記固定基準値による重送エラー判断ステップで重送エラーと判断された複数枚の書類のそれぞれを連続して搬送する際に検出した書類の紙厚が、最初に搬送された書類の紙厚を基準とする可変基準値の許容範囲外であるときに、重送エラーと判断する、可変基準値による重送エラー判断ステップと、
を実行させるためのプログラム。
【請求項６】  複数枚の書類のそれぞれを連続して搬送しながら書類から書類名と書類発行元名とを含む情報を光学的に読み取るとともに各書類の紙厚を検出する書類自動送り装置に接続されたコンピュータに、
前記書類自動送り装置が複数枚の書類のそれぞれを連続して搬送する際に検出した書類の紙厚が、最初に搬送された書類の紙厚を基準とする可変基準値の許容範囲外であるときに、重送エラーと判断する、第１の重送エラー判断ステップと、
前記書類自動送り装置が複数枚の書類のそれぞれを連続して搬送する際に書類から読み取った書類名と書類発行元名とを含む情報を、前記第１の重送エラー判断ステップで用いた前記可変基準値の紙厚データとともに、記憶手段に記憶する、記憶ステップと、
前記書類自動送り装置が次回分の複数枚の書類のそれぞれを連続して搬送しながら次回分の各書類から書類名と書類発行元名とを含む情報を光学的に読み取るとともに次回分の各書類の紙厚を検出する際に、前記書類自動送り装置が次回分の書類から読み取った書類名と書類発行元名とを含む情報に一致する情報が前記記憶手段に記憶されている場合に、当該一致する情報とともに前記記憶手段に記憶された前記紙厚データの前記可変基準値を前記記憶手段から読み出し、前記書類自動送り装置が検出した次回分の書類の紙厚が、前記記憶手段から読み出した前記可変基準値の許容範囲外であるときに、重送エラーと判断する、第２の重送エラー判断ステップと、
を実行させるためのプログラム。
【手続補正３】
【補正対象書類名】明細書
【補正対象項目名】０００１
【補正方法】変更
【補正の内容】
【０００１】
【発明の属する技術分野】
本発明は、光学式文字読み取り装置（ここでは適宜、「ＯＣＲ装置」と表記する）における書類自動送り装置（適宜、「ＡＤＦ装置」と表記する）による書類の読み取り搬送時に複数枚が重なった送りエラー（適宜、「重送エラー」と表記する）に対処するための、書類の搬送方法及びそのシステム並びにプログラムに関する。
【手続補正４】
【補正対象書類名】明細書
【補正対象項目名】００１０
【補正方法】変更
【補正の内容】
【００１０】
本発明は、上記事情に鑑みてなされたものであり、光学式文字読み取り装置における書類自動送り装置などでの書類の読み取り搬送時の重送エラーを、比較的簡素な装置及び処理で防止できるようになり、その読み取り作業効率が確実に向上する、書類の搬送方法及びそのシステム並びにプログラムを提供することを目的とする。
【手続補正５】
【補正対象書類名】明細書
【補正対象項目名】００１１
【補正方法】変更
【補正の内容】
【００１１】
【課題を解決するための手段】
上記目的を達成する本発明の書類の搬送方法は、複数枚の書類のそれぞれを連続して搬送しながら各書類の紙厚を検出する書類自動送り装置に接続されたコンピュータにより、書類自動送り装置が複数枚の書類を搬送する際に、複数枚の書類が重なって搬送される重送エラーを検出する書類の搬送方法において、書類自動送り装置が複数枚の書類のそれぞれを連続して搬送する際に検出した書類の紙厚が、予め設定された固定基準値の許容範囲外であるときに、重送エラーと判断する、固定基準値による重送エラー判断工程と、書類自動送り装置が固定基準値による重送エラー判断工程で重送エラーと判断された複数枚の書類のそれぞれを連続して搬送する際に検出した書類の紙厚が、最初に搬送された書類の紙厚を基準とする可変基準値の許容範囲外であるときに、重送エラーと判断する、可変基準値による重送エラー判断工程とを有する。
【手続補正６】
【補正対象書類名】明細書
【補正対象項目名】００１２
【補正方法】変更
【補正の内容】
【００１２】
この発明の書類の搬送方法では、光学式文字読み取り装置における書類自動送り装置などでの書類の読み取り搬送時の重送エラーを、比較的簡素な装置及び処理で防止できるようになって、その読み取り作業効率が確実に向上する。
【手続補正７】
【補正対象書類名】明細書
【補正対象項目名】００１３
【補正方法】変更
【補正の内容】
【００１３】
また、他の発明の書類の搬送方法は、複数枚の書類のそれぞれを連続して搬送しながら書類から書類名と書類発行元名とを含む情報を光学的に読み取るとともに各書類の紙厚を検出する書類自動送り装置に接続されたコンピュータにより、書類自動送り装置が複数枚の書類を搬送する際に、複数枚の書類が重なって搬送される重送エラーを検出する書類の搬送方法において、書類自動送り装置が複数枚の書類のそれぞれを連続して搬送する際に検出した書類の紙厚が、最初に搬送された書類の紙厚を基準とする可変基準値の許容範囲外であるときに、重送エラーと判断する、第１の重送エラー判断工程と、書類自動送り装置が複数枚の書類のそれぞれを連続して搬送する際に書類から読み取った書類名と書類発行元名とを含む情報を、第１の重送エラー判断工程で用いた可変基準値の紙厚データとともに、記憶手段に記憶する、記憶工程と、書類自動送り装置が次回分の複数枚の書類のそれぞれを連続して搬送しながら次回分の各書類から書類名と書類発行元名とを含む情報を光学的に読み取るとともに次回分の各書類の紙厚を検出する際に、書類自動送り装置が次回分の書類から読み取った書類名と書類発行元名とを含む情報に一致する情報が記憶手段に記憶されている場合に、当該一致する情報とともに記憶手段に記憶された紙厚データの可変基準値を記憶手段から読み出し、書類自動送り装置が検出した次回分の書類の紙厚が、記憶手段から読み出した可変基準値の許容範囲外であるときに、重送エラーと判断する、第２の重送エラー判断工程とを有する。
【手続補正８】
【補正対象書類名】明細書
【補正対象項目名】００１４
【補正方法】変更
【補正の内容】
【００１４】
この発明の書類の搬送方法では、例えば、数日又は１年といった作業時期が離れた２回目の読み取り「書類名、書類発行元名」と、その変更した基準値の紙厚を、次回に手動ではなく自動的に設定している。この結果、その読み取り作業効率が、より確実に向上する。
【手続補正９】
【補正対象書類名】明細書
【補正対象項目名】００１５
【補正方法】変更
【補正の内容】
【００１５】
上記目的を達成する本発明の書類搬送システムは、複数枚の書類のそれぞれを連続して搬送する搬送手段と、搬送手段によって搬送される書類の紙厚を検出する紙厚検出手段と、搬送手段が複数枚の書類のそれぞれを連続して搬送する際に紙厚検出手段が検出した書類の紙厚が、予め設定された固定基準値の許容範囲外であるときに、重送エラーと判断する、固定重送判断手段と、搬送手段が固定重送判断手段により重送エラーと判断された複数枚の書類のそれぞれを連続して搬送する際に紙厚検出手段が検出した書類の紙厚が、最初に搬送された書類の紙厚を基準とする可変基準値の許容範囲外であるときに、重送エラーと判断する、可変重送判断手段とを備える。
【手続補正１０】
【補正対象書類名】明細書
【補正対象項目名】００１６
【補正方法】変更
【補正の内容】
【００１６】
また、他の発明の書類搬送システムは、複数枚の書類のそれぞれを連続して搬送する搬送手段と、搬送手段によって搬送される書類の紙厚を検出する紙厚検出手段と、搬送手段によって搬送される書類から書類名と書類発行元名とを含む情報を光学的に読み取る光学読取手段と、搬送手段が複数枚の書類のそれぞれを連続して搬送する際に紙厚検出手段が検出した書類の紙厚が、最初に搬送された書類の紙厚を基準とする可変基準値の許容範囲外であるときに、重送エラーと判断する、第１の重送エラー判断手段と、搬送手段が複数枚の書類のそれぞれを連続して搬送する際に光学読取手段が書類から読み取った書類名と書類発行元名とを含む情報を、第１の重送エラー判断手段が用いた可変基準値の紙厚データとともに、記憶する、記憶手段と、搬送手段が次回分の複数枚の書類のそれぞれを連続して搬送することにより、光学読取手段が次回分の書類から書類名と書類発行元名とを含む情報を読み取るとともに、紙厚検出手段が次回分の書類の紙厚を検出する際に、光学読取手段が次回分の書類から読み取った書類名と書類発行元名とを含む情報に一致する情報が記憶手段に記憶されている場合に、当該一致する情報とともに記憶手段に記憶された紙厚データの可変基準値を記憶手段から読み出し、紙厚検出手段が検出した次回分の書類の紙厚が、記憶手段から読み出した可変基準値の許容範囲外であるときに、重送エラーと判断する、第２の重送エラー判断手段とを備える。
【手続補正１１】
【補正対象書類名】明細書
【補正対象項目名】００１７
【補正方法】変更
【補正の内容】
【００１７】
この発明の書類搬送システムでは、上記した書類の搬送方法と同様に光学式文字読み取り装置における書類自動送り装置などでの書類の読み取り搬送時の重送エラーを、比較的簡素な装置及び処理で防止できるようになって、その読み取り作業効率が確実に向上する。
【手続補正１２】
【補正対象書類名】明細書
【補正対象項目名】００１８
【補正方法】変更
【補正の内容】
【００１８】
上記目的を達成する本発明のプログラムは、複数枚の書類のそれぞれを連続して搬送しながら各書類の紙厚を検出する書類自動送り装置に接続されたコンピュータに、書類自動送り装置が複数枚の書類のそれぞれを連続して搬送する際に検出した書類の紙厚が、予め設定された固定基準値の許容範囲外であるときに、重送エラーと判断する、固定基準値による重送エラー判断ステップと、書類自動送り装置が固定基準値による重送エラー判断ステップで重送エラーと判断された複数枚の書類のそれぞれを連続して搬送する際に検出した書類の紙厚が、最初に搬送された書類の紙厚を基準とする可変基準値の許容範囲外であるときに、重送エラーと判断する、可変基準値による重送エラー判断ステップを実行させるものである。
【手続補正１３】
【補正対象書類名】明細書
【補正対象項目名】００１９
【補正方法】変更
【補正の内容】
【００１９】
また、他の発明のプログラムは、複数枚の書類のそれぞれを連続して搬送しながら書類から書類名と書類発行元名とを含む情報を光学的に読み取るとともに各書類の紙厚を検出する書類自動送り装置に接続されたコンピュータに、書類自動送り装置が複数枚の書類のそれぞれを連続して搬送する際に検出した書類の紙厚が、最初に搬送された書類の紙厚を基準とする可変基準値の許容範囲外であるときに、重送エラーと判断する、第１の重送エラー判断ステップと、書類自動送り装置が複数枚の書類のそれぞれを連続して搬送する際に書類から読み取った書類名と書類発行元名とを含む情報を、第１の重送エラー判断ステップで用いた可変基準値の紙厚データとともに、記憶手段に記憶する、記憶ステップと、書類自動送り装置が次回分の複数枚の書類のそれぞれを連続して搬送しながら次回分の各書類から書類名と書類発行元名とを含む情報を光学的に読み取るとともに次回分の各書類の紙厚を検出する際に、書類自動送り装置が次回分の書類から読み取った書類名と書類発行元名とを含む情報に一致する情報が記憶手段に記憶されている場合に、当該一致する情報とともに記憶手段に記憶された紙厚データの可変基準値を記憶手段から読み出し、書類自動送り装置が検出した次回分の書類の紙厚が、記憶手段から読み出した可変基準値の許容範囲外であるときに、重送エラーと判断する、第２の重送エラー判断ステップとを実行させるものである。
【手続補正１４】
【補正対象書類名】明細書
【補正対象項目名】００２０
【補正方法】変更
【補正の内容】
【００２０】
本発明および他の発明のプログラムでは、情報記録媒体（パッケージソフトウェアなど）や通信ネットワーク上からのダウンロード／インストールを通じた提供が可能になる。したがって、当該発明を、種々の装置に搭載されるマイクロコンピュータなどで容易に実施できるようになって、その汎用性が向上する。
【手続補正１５】
【補正対象書類名】明細書
【補正対象項目名】００２１
【補正方法】変更
【補正の内容】
【００２１】
以下は本発明の書類の搬送方法の技術思想における好適な態様である。
【手続補正１６】
【補正対象書類名】明細書
【補正対象項目名】００２４
【補正方法】変更
【補正の内容】
【００２４】
以下は本発明の書類搬送システムの技術思想における好適な態様である。